(57)【要約】  部分的に包囲された内部を有するハウジングと、内部に配設されハウジングに連結したマンドレルであり、コア開口部を有するテープロールを受容し解放可能に保持するマンドレルとを含み、マンドレルが、基体から突出する第一側壁と、第一側壁と平行に基体から突出する第二側壁とを含み、第一及び第二側壁が、それぞれから突出しテープロールのコア開口部を解放可能に係合するハブ構造をそれぞれに有しており、（ｉ）コア開口部を有するテープロールが部分的に内部に挿入可能であり、テープロールのコア開口部が、実質的にハウジングを分解せずに、テープロールを送出配座内に固定するように第一及び第二側壁と解放可能に係合され、第一及び第二側壁から離脱され、（ｉｉ）実質的にハウジングを分解せずに、送出配座中のテープロールが第一及び第二側壁から離脱され内部から取り外し可能である、ように構成されるテープディスペンサアセンブリ。【選択図】図４
2015533748.tif 000002
【特許請求の範囲】
【請求項１】
テープディスペンサアセンブリであって、
少なくとも部分的に包囲された内部を有するハウジングと、
前記内部に配設されるとともに前記ハウジングに連結されたマンドレルであり、コア開口部を有するテープロールを受容するともに解放可能に保持するようになっているマンドレルと、を含み
前記マンドレルが、基体から突出する第一側壁と、前記第一側壁と概ね平行に基体から突出する第二側壁と、を含み、前記第一側壁及び前記第二側壁が、それぞれの側壁から突出するとともに前記テープロールの前記コア開口部に解放可能に係合するようになっているハブ構造をそれぞれに有し、
前記テープディスペンサアセンブリが、（１）コア開口部を有するテープロールが少なくとも部分的に前記内部に挿入可能であり、前記テープロールの前記コア開口部が、実質的に前記ハウジングを分解せずに、前記テープロールを送出配置で固定するように前記第一側壁及び前記第二側壁と解放可能に係合されるとともに、前記第一側壁及び前記第二側壁から離脱される、及び（２）実質的に前記ハウジングを分解せずに、送出配置のテープロールが前記第一側壁及び前記第二側壁から離脱可能であるとともに前記内部から取り外し可能である、ように構成される、テープディスペンサアセンブリ。
【請求項２】
前記第一側壁及び前記第二側壁の少なくとも一方が、他方の側壁に対して弾性的に柔軟である、請求項１に記載のテープディスペンサ。
【請求項３】
前記第一側壁が、前記第一側壁によって規定された平面に対してゼロ以外の角度で伸張するタブをさらに含む、請求項１に記載のテープディスペンサ。
【請求項４】
前記第一側壁の前記ハブ構造及び前記第二側壁の前記ハブ構造の少なくとも一方が、前記側壁の自由端に隣接する傾斜部分を含む、請求項１に記載のテープディスペンサ。
【請求項５】
前記ハウジングの内部から前記マンドレルを取り外さずに、前記テープロールを前記ハウジングから取り外すことが可能である、請求項１に記載のテープディスペンサ。
【請求項６】
コア開口部を有するテープロールをさらに含み、前記テープロールが前記マンドレルと解放可能に係合される、請求項１に記載のテープディスペンサ。
【発明の詳細な説明】
【技術分野】
【０００１】
本発明は、テープロールのためのディスペンサ、とりわけ一体式テープマンドレルを有するディスペンサに関する。
【背景技術】
【０００２】
多くのデスクトップテープディスペンサは、テープロール（すなわち一般的に、その中にコア開口部を有する円筒形コア部材で、その周辺でテープがロール形状で巻かれる）を支持し、その周辺で、テープが送出されるにしたがって、テープロールが回転する、単純なマンドレルを使用する。マンドレルは一般的に、ディスペンサから取り外され、別々に取り扱われなければならない別個の構成成分であり、多くの場合、結果として損失又は誤留置が生じる。そのようなマンドレルの利用はさらに、ディスペンサが、マンドレルの固定に対応する特徴を最終的に必要とするので、どのようにディスペンサが成形され、再設計されるかを制限する。そのような問題は、テープロールがディスペンサの内部内に収納されることが意図される場合、とりわけ内部が少なくとも部分的に包囲される場合に、拡大されるようになる。
【発明の概要】
【発明が解決しようとする課題】
【０００３】
テープディスペンサを改善する必要性が存在する。
【課題を解決するための手段】
【０００４】
１つの様態において、本開示物は、テープロールを支持するためのマンドレルを提供し、このマンドレルは、一対の、基体から突出する反対側の側壁を含む。各側壁は、コア開口部を有するテープロールのコア開口部を解放可能に係合するように構成されたハブ構造を含む。側壁は、テープロールが挿入され、置換されることを可能にするために、互いに対して弾性的に柔軟である。
【０００５】
簡単に要約すると、本発明のテープディスペンサアセンブリは、
少なくとも部分的に包囲された内部を有するハウジングと、
内部内に配設されるとともに前記ハウジングに連結したマンドレルであって、コア開口部を有するテープロールを受容するとともに解放可能に保持するようになっているマンドレルと、を含む。
【０００６】
前記マンドレルは、基体から突出する第一側壁と、前記第一側壁と概ね平行である基体から突出する第二側壁と、を含み、前記第一及び第二側壁が、それぞれの側壁から突出するとともに前記テープロールの前記コア開口部に解放可能に係合するようになっている、ハブ構造をそれぞれに有する。本明細書で記述するように、アセンブリは、（１）コア開口部を有するテープロールを、少なくとも部分的に内部内に挿入可能であり、前記テープロールの前記コア開口部が、実質的に前記ハウジングを分解せずに、前記テープロールを送出配座内に固定するように前記第一及び第二側壁と解放可能に係合されるとともに前記第一及び第二側壁から離脱される、及び（２）実質的に前記ハウジングを分解せずに、送出配座中のテープロールが前記第一及び第二側壁から離脱されるとともに前記内部から取り外し可能である、ように構成される。
【０００７】
もう一つの様態において、本開示物は、少なくとも部分的に包囲された内部を有するハウジングと、前記内部内に配設され、前記ハウジングに連結されたマンドレルと、テープロールと、を含むテープディスペンサアセンブリを提供する。有利には、一般的にその上にコア開口部を有するコア部材を含み、その上でテープが巻かれるテープロールが、内部内に挿入され、マンドレル上に取り付けられ、続いてハウジング内部からマンドレルを取り除くことなしに、取り除かれてよい。
【図面の簡単な説明】
【０００８】
本発明は図面を参照して更に説明されるが、対応する参照記号は複数の図面を通して対応する部分を示す。
【０００９】
【図１】本発明の例示的実施形態に従ったテープマンドレルの斜視図である。
【図２】図１のテープマンドレルの端面図である。
【図３】本発明の例示的実施形態に従ったテープディスペンサアセンブリの斜視図である。
【図４】図３のディスペンサアセンブリの底面図である。
【図５】本発明のもう一つの例示的実施形態に従ったテープディスペンサアセンブリの斜視図である。
【図６】図５のテープディスペンサアセンブリのもう一つの斜視図である。
【発明を実施するための形態】
【００１０】
図面は例示のためのみであり、正確な縮尺率ではない。
【００１１】
用語「含む」及びその変化形は、これらの用語が、本明細書本文及び特許請求の範囲に現れる場合、限定する意味を有するものではない。
【００１２】
用語「好ましい」及び「好ましくは」とは、特定の状況下で、特定の利益をもたらすことができる、本発明の実施形態を指す。しかしながら、他の実施形態もまた、同じ状況又は他の状況下で、好ましい場合がある。更に、１つ以上の好ましい実施形態の記載は、他の実施形態が有用でないことを示唆するものではなく、また、本発明の範囲から他の実施形態を排除することを意図するものでもない。
【００１３】
本明細書で記載されるすべての数は、「約」という用語によって修飾されるとみなされなければならない。
【００１４】
本明細書で使用するとき、「ａ」、「ａｎ」、「ｔｈｅ」、「少なくとも１つの」、及び「１つ以上の」は、互換可能に使用される。したがって、例えば「１つの（a）」側壁を含むマンドレルは、「１つ以上の」側壁を含むマンドレルとして解釈可能である。
【００１５】
更に本明細書では、終点による数値範囲の列挙は、その範囲内に包含される全ての数を含む（例えば、１〜５は、１、１．５、２、２．７５、３、３．８０、４、５、等を含む）。
【００１６】
上記の本発明の課題を解決するための手段は、開示される本発明の各実施形態又は本発明のすべての実装を説明することを目的としたものではない。以下の説明は、例示的な実施形態をより具体的に例示するものである。本出願の全体にわたるいくつかの箇所で、実施例のリストを通じて指針が提供されるが、それらの実施例は、様々に組み合わせて使用することができる。それぞれの場合において記載される一覧はあくまで代表的な群として与えられるものであって、包括的な一覧として解釈されるべきものではない。
【００１７】
本開示物のテープマンドレルは、少なくとも部分的に包囲された内部を有するディスペンサ中、テープのロールを支持するために使用されてよい。本明細書で使用するところの、部分的に包囲された内部は、ハウジングが、テープロールを受容するのに十分な大きさの、限定された数の開口部を含むことを意味する。特定の実施形態において、テープマンドレルは、ディスペンサを分解せずに、テープロールを取り除き、他を挿入及び置換することを可能にするために、十分柔軟性を残す一方で、ディスペンサハウジングの内部に固定可能である。本開示物のマンドレルは一般的に、一対の、基体から外側に突出する反対側の側壁を含み、解放可能にテープロールを保持する相当するハブ構造を抱く。１つの側壁はさらに、側壁の末端が離れることを促すために使用可能であるタブを含んでよく、テープロールのより簡単な取り外しと挿入を可能にする。本発明テープマンドレルは、潜在的に、箱、ヘルメット及び飾り用果実を含む、多種多様なテープディスペンサデザインで有用である。
【００１８】
図１及び２は、少なくとも部分的に包囲された内部を有するテープディスペンサ内での使用のために好適なマンドレル１０の実施形態を描写している。少なくとも部分的に包囲された内部によって、本発明に従ったマンドレル上に取り付けられたテープロールとの使用のために構成される時に、テープロールとマンドレルの全体が、実質的に開口部の周辺又はその外側に伸張しているテープの末端のみを有するハウジングの内部内に配置されることが意味される。そのような配置において、テープロールとマンドレルは、好適な開口部と適合する場合に、ハウジングの外側から観察されうるが、外側稼働環境との望ましくない相互作用を最小化するために、内部内に配置される。
【００１９】
マンドレル１０は、基体１１と、一対の、基体１１から突出する、反対側、概ね平行の一組の側壁１２と、を含み、それによってテープロール収容部を規定するために、基体と協調する。基体１１は、均一又は実質的に平らな表面として描写されるが、これらは、反対側の側壁１２を接続し、それらを互いに対して配置するのに十分な任意の輪郭（例えば凹部曲率を有する表面）を含んでよい。特定の実施形態において、側壁１２は、基体１１によって規定された平面から、直角、又はわずかな鈍角（例えば約９０〜約９５度）にて伸長可能である。基体１１に対する側壁の伸張が穏やかに先細ること（すなわちドラフト）が、特定の環境において、マンドレル１０の成型を促進する。側壁１２は、保持されたテープロールの外側運動を最小化するのに十分な距離、離間される。例えば、側壁は、それぞれの側上、少なくとも１６インチ（０．１６センチメートル）クリアランス（すなわち側壁とロール間の距離）にて、３／４インチ（１．９センチメートル）テープロールを保持するために設計されうる。望ましいテープロールの大きさと、以下でより詳細に議論するハブ構造に依存して、他の寸法も可能である。
【００２０】
マンドレル１０の側壁１２は、側壁１２の内表面から内側に突出する反対側のハブ構造１３を含む。ハブ構造１３は、例えば、テープロールコア内の開口部の反対の末端内に突出することによって、軸の周辺の回転に対して、テープロールコアの円筒形内表面を回転可能に支持するために適合した、周辺表面を提供する。描写するように、ハブ構造１３は、盛り上がった表面１４と、側壁１２の遊離末端（すなわち、基体に連結していない末端）に隣接した傾斜部分１５を含む、半円筒形突起部を含む。傾斜１５は、側壁１２の平面に対して、角度をなすか、又は傾斜する。傾斜１５の角度をなす性質により、ハブ構造１３上へのテープのロールの便利な装着が許容可能である。（中空、一般にＵ型フラッグのような）異なるハブ構造が、テープ送出技術領域にて公知であり、本明細書で開示された発明マンドレルの範囲から逸脱することなしに使用されてよい。例示ハブ構造は、米国特許第５，４６８，３３２号（Ｄｒｅｔｚｋａ  ｅｔ  ａｌ）及び第８，１９１５９７号（Ｖｕｌｐｉｔｔａ）にて見られうる。
【００２１】
側壁１２は、ハブ構造１３と基体１１間で弾性的に柔軟であり、それによってこれらが、弾性的に折れ曲げられ、ハブ構造１３間にテープのロールを配置し、その間から空のコアを取り除くことを可能にする。例示的実施形態において、材料は、その初期の位置に対して、側壁の少なくとも１０相対移動程度を可能にするのに十分柔軟である。他の実施形態において、材料は、少なくとも１５相対移動程度、また他の実施形態において、少なくとも２０相対移動程度を可能にするのに十分柔軟である。側壁１２の相対移動において補助するために、１つの側壁１２の遊離末端が、タブ１６を有して提供されてよい。タブ１６は、任意の把持可能ジオメトリを含み得、一般的に、側壁１２によって規定された平面に対してゼロ以外の角度で伸張する。特定の実施形態において、タブ１６は、少なくとも１５度の角度、いくつかの実施形態において、少なくとも３０度、いくつかの実施形態において、少なくとも４５度、いくつかの実施形態において少なくとも６０度の角度で伸張する。側壁をこじ開けるために必要な力が的確に減少するように、タブ１６が９０度を越える角度で伸張することが好ましくてよい。
【００２２】
少なくとも部分的に、側壁１２の弾力的柔軟性と、ハブ構造１３のデザインのために、利用者は、タブ１６を使用しなければならないことなしに、又は側壁１２をこじ開けることなしに、テープロールを装着してよい。しかしながら、除去には、テープロールコアから少なくとも１つのハブ構造１３を分離するために、側壁１２の少なくとも１つを取り外す必要があろう。
【００２３】
マンドレル１０の側壁１２の１つ、好ましくはタブ１６を含む側壁の反対側の側壁が、装着構造１７を含む。装着構造１７は、マンドレル１０を、ディスペンサハウジングの内部に連結することにおける使用のために適合される。より詳細に以下で説明されるであろうように、装着構造１７はまた、ディスペンサ切断表面に対して、マンドレル１０を配置することを補助することも可能である。例えば、嵌合機構が、ディスペンサの内部表面上で、嵌合開口と係合してよい。描写した実施形態において、装着構造１７は、ディスペンサ上の、他の、同様の構造と摩擦によって係合する、中空、円筒形環を含む。他の実施形態において、装着構造１７は、締結機構（例えば感圧性接着剤、フック・ループ式ファスナー）を介してディスペンサハウジングに固定可能である。特定の環境において、ハウジングに恒久的に貼り付けられた側壁を有することが望ましい。遊離側壁のみが、マンドレルを十分開くために移動する必要があるので、側壁をディスペンサハウジングに固定することによって、テープロールの潜在的な一方の手での装着及び除去を可能にする。さらに、側壁をディスペンサハウジングに固定することは、通常の利用の間、マンドレルが取り除かれ、失われることを防止する。他の実施形態において、マンドレルは、ディスペンサハウジング中に脱着可能に保持されてよい。
【００２４】
マンドレルのための好適な材料には、プラスチック、金属及びセラミックス、及びこれらの組み合わせが含まれるが、限定はされない。好適なプラスチックとしては、ポリスチレン及びポリカルボネートが挙げられるが、これらに限定はされない。
【００２５】
ここで図３及び４に転じ、テープディスペンサ２０、マンドレル１０及びテープロール３０を含むディスペンサアセンブリが描写される。示された実施形態において、テープディスペンサ２０は一般に、フットボールヘルメットの形状であり、内部２２とフェースガード２３を少なくとも部分的に規定しているシェル２１を含む。フェースガード２３とシェル２１は協働して、内部２２を部分的に囲い込む。切断支持体２４が、内部２２から離れて、フェースガード２３上に配設される。切断支持体２４は一般的に、ランディング表面とブレードを含む。ランディング表面は、アクセス可能であり、さらなる利用のために準備が整うように、テープの配設された末端に接続するための表面として働き、ランディング表面は更に、ブレード全体でのテープの破断を軽減するために、支持表面を提供する。ブレードは、鋸歯状にされてよく、又は任意の他の公知のブレード配座を含みうる。
【００２６】
マンドレル１０は、シェル２１の内部表面上の嵌合機構２５を介して、テープディスペンサ２０に固定される。マンドレル１０の基体１１は、シェル２１の後方に向かって配置され、ハブ構造１３が、切断支持２４に隣接して配列される。装着構造１７が、嵌合機構２５と協働して、マンドレル１０をディスペンサ内に配置し、それによって、フェースガード２３の方向にて、テープロール３０から送出されたテープが、切断支持体２４と係合するであろう。他の実施形態において、装着構造１７が、シェル２１の内部表面からマンドレルを離すのに単独で十分である。描写するように、マンドレル１０は、ハブ構造１３の傾斜部分１５が、切断支持体２４によって規定された平面に対してわずかに下方に角度がつくように、方向付けられる。この方向は、テープロール３０を装着することを容易にし、テープロールは好ましくは、シェル１２の底開口部を通して装着される。他の実施形態において、フェースガード２３は取り外し可能であり、テープロール３０が、マンドレル１０の基体１１に向かう方向にて装着される。
【００２７】
ユーザーは、シェル２１に接続した側壁１２から離れてタブ１６を動かすことによって、テープロール挿入に対して、マンドレル１０を準備可能にしてよい。側壁１２が基体１１にて接続するので、側壁を、前端から互いに離れて移動させることで、後端にてよりも、傾斜１５にて、ハブ構造１３がより互いから離れて移動することになる。このことによって、テープディスペンサ２０又はマンドレル１０上に必要以上の圧力をかけずに、望む幅のテープを挿入できるようになる。あるいは、テープロール３０は、ユーザーが側壁の移動を開始することなしに、装着されうる。
【００２８】
他の実施形態において、ディスペンサハウジングは、ドア、移動可能カバー又は他のアクセス機構を通してのみアクセス可能な収納された内部を有する。図５及び６は、テープディスペンサ１２０、マンドレル１１０及びテープロール１３０を含むディスペンサアセンブリの他の実施形態を描写している。マンドレル１１０は、以上で記述したマンドレル１０と実質的に異ならず、したがって、マンドレル１０の特定の要素は繰り返す必要がない。テープディスペンサ１２０は、ディスペンサ内部１２２を規定するために協働する、切断支持体１２４と取り外し可能なカバー１２１とを有する、基体１２３を含む。カバー１２１は、基体１２３にヒンジにより連結するように描写され、それによって、カバーが、開放状態（図５）と閉鎖状態（図６）の間で回転可能である。基体上の摩擦又は嵌合い適合での取り外し可能カバー、基体に摺動自在に連結したカバー、及び他の公知の配座のような、開放及び閉鎖状態間の遷移を可能にするための他の機構もまた好適である。
【００２９】
利用に際して、カバー１２１が、基体１２３の底表面に対して上方に回転し、マンドレル１１０を露出し、ディスペンサ内部１２２内のテープロール１３０の受容を可能にする。特定の実施形態において、カバーの回転がまた、装着状態及び収納状態間での、マンドレル１１０の回転を引き起こしてもよい。あるいは、テープロール１３０が一般的には、任意の方向で、マンドレル１１０のハブ構造上で回転可能であるので、マンドレル１１０は、カバー１２１とともに回転はしない。一旦テープロール１３０がマンドレル１１０中に固定されたならば、テープがロール１３０より引かれ、切断支持体１２４上に配置されてよい。
【００３０】
少なくとも部分的な包囲をつくり出す種々のハウジングデザインが可能であり、本開示物の範囲内であることが理解されるべきである。
【００３１】
本明細書で引用される特許、特許文献、及び刊行物の内容全体は、あたかもそれぞれが個々に組み込まれるように、その全体が参照により本明細書に援用される。本発明の範囲及び趣旨から逸脱することなく、本発明の様々な改変及び変更が当業者には明らかとなるであろう。本発明は、本明細書に記載される例示的な実施形態及び実施例によって不当に限定されるものではない点、また、こうした実施例及び実施形態はあくまで例示を目的として示されるにすぎないのであって、本発明の範囲は本明細書において以下に記載する「特許請求の範囲」によってのみ限定されるものである点は理解すべきである。
【図１】
2015533748.tif 000003
【図２】
2015533748.tif 000004
【図３】
2015533748.tif 000005
【図４】
2015533748.tif 000006
【図５】
2015533748.tif 000007
【図６】
2015533748.tif 000008
【国際調査報告】
2015533748.tif 000009
2015533748.tif 000010